(57)【要約】【課題】簡単な操作で、風向調整を行うことができ、且つスポット風とマイルド風を切り換えることができるレジスタを提供する。【解決手段】操作ノブ８に、後可動ルーバ４側に向けて第１係合脚部８１と第２係合脚部８２が設けられる。第１係合脚部８１の先端部に第１係合ピン８３が設けられ、第２係合脚部８２の先端部に第２係合ピン８４が設けられる。第１係合ピン８３は第１ラック部材５１に係合し、第２係合ピン８４は第２ラック部材５２に係合する。操作ノブ８を回動操作したとき、操作ノブ８の回動力が第１係合脚部８１、第２係合脚部８２及び第１係合ピン８３及び第２係合ピン８４を介して、第１ラック部材５１及び第２ラック部材５２に伝達され、それが各々相反方向に摺動し、第１歯部４５及び第２歯部４６を介して、後可動ルーバ４の第１後フィン４３及び第２後フィン４４が相反方向に回動する。【選択図】図１
2019182035.tif 000002
【特許請求の範囲】
【請求項１】
内部に通風路を有したリテーナと、
該リテーナの前部に嵌着され、空気吹出口を有したベゼルと、
該空気吹出口の内側に、前フィンを回動可能に配設した前可動ルーバと、
該前可動ルーバの上流側で該前可動ルーバと直交方向に配設され、並設した複数の後フィンを回動可能に軸支した後可動ルーバと、
該前可動ルーバの該前フィン上に摺動可能に嵌合され、係合部及び被係合部からなる係合機構を介して該後可動ルーバと係合し、該前フィン上で摺動して、該後可動ルーバの該後フィンの向きを変えるスライド部材と、
該スライド部材に設けられ、回動操作して該後可動ルーバの後フィンの向きを変える操作ノブと、
を備えたレジスタであって、
該前可動ルーバは、該空気吹出口の長手方向と平行に、回動可能に軸支された前フィンを有し、該前フィンにスライド部材が、該前フィンの長手方向と平行に摺動可能に嵌合され、該操作ノブが、該スライド部材に回転可能に支持され、
該スライド部材には、第１スライドレートと第２スライドレールが該前フィンの長手方向と平行に設けられ、
前記後可動ルーバには、複数の第１後フィンからなる第１後フィン群と複数の第２後フィンからなる第２後フィン群とが設けられ、
前記係合部として第１係合部と第２係合部が該スライド部材に設けられ、該第１係合部と第２係合部は、該スライド部材に対し該スライド部材の摺動方向と平行に摺動可能に設けられ、
前記被係合部として、第１被係合部が該第１後フィンに設けられ、第２被係合部が該第２後フィンに設けられ、該第１被係合部は該スライド部材の該第１係合部と係合し、該第２被係合部は該スライド部材の該第２係合部と係合し、
該操作ノブには、該後可動ルーバ側に向けて第１係合脚部と第２係合脚部が設けられ、該第１係合脚部の先端部に第１係合ピンが設けられ、該第２係合脚部の先端部に第２係合ピンが設けられ、該第１係合ピンは該第１係合部に係合し、該第２係合ピンは該第２係合部に係合し、
該操作ノブを回動操作したとき、該操作ノブの回動力が該第１係合脚部、第２係合脚部、該第１係合ピン及び該第２係合ピンを介して、該第１係合部及び第２係合部に伝達されて、該第１係合部と第２係合部が各々相反方向に摺動し、第１被係合部及び第２被係合部を介して、該後可動ルーバの該第１後フィン及び該第２後フィンが相反方向に回動することを特徴とするレジスタ。
【請求項２】
前記第１係合部としてラックを有する第１ラック部材が設けられ、前記第２係合部としてラックを有する第２ラック部材が設けられ、前記第１被係合部として該第１ラック部材と噛合する第１歯部が設けられ、前記第２被係合部として該第２ラック部材と噛合する第２歯部が設けられたことを特徴とする請求項１記載のレジスタ。
【請求項３】
前記スライド部材の後部に、第１スライドレールと第２スライドレールが設けられ、前記第１ラック部材は第１スライド係合部を介して該第１スライドレールに摺動可能に係合し、前記第２ラック部材は第２スライド係合部を介して該第２スライドレールに摺動可能に係合することを特徴とする請求項１記載のレジスタ。
【請求項４】
前記スライド部材内に前記第１係合脚部及び第２係合脚部を挿入するための脚用空間が設けられ、該脚用空間内の壁面に、クリック用凸部が設けられ、該第１係合脚部または第２係合脚部に撓み凸部が設けられ、前記操作ノブの回動操作時、該撓み凸部がクリック用凸部を乗り越えることを特徴とする請求項１記載のレジスタ。
【請求項５】
前記スライド部材の後部に、前記脚用空間に連通する１対の扇形開口が設けられ、前記第１係合脚部及び第２係合脚部が該１対の扇形開口に挿通されることを特徴とする請求項４記載のレジスタ。
【請求項６】
前記第１係合脚部及び第２係合脚部の外面に、脚凸条が長手方向に沿って設けられたことを特徴とする請求項４記載のレジスタ。
【請求項７】
前記第１スライドレール及び第２スライドレールの外面に、レール凸条が摺動方向に沿って設けられたことを特徴とする請求項３記載のレジスタ。
【請求項８】
前記第１係合部には、長円穴を有する第１係合アームが設けられ、前記第２係合部には長円穴を有する第２係合アームが設けられ、前記第１係合脚部の第１係合ピンが該第１係合アームの該長円穴に嵌合し、前記第２係合脚部の第２係合ピンが第２係合アームの該長円穴に嵌合することを特徴とする請求項４記載のレジスタ。
【請求項９】
前記第１係合部の第１スライド係合部及び第２係合部の第２スライド係合部は、横断面を略コ字状に形成されたことを特徴とする請求項３記載のレジスタ。
【請求項１０】
前記第１係合脚部の先端部の前記第１係合ピンの両側に、延設部が設けられ、該延設部に小突起が前記第１係合アームに接触するように設けられ、前記第２係合脚部の先端部の前記第２係合ピンの両側に、延設部が設けられ、該延設部に小突起が前記第２係合アームに接触するように設けられたことを特徴とする請求項８記載のレジスタ。
【発明の詳細な説明】
【技術分野】
【０００１】
本発明は、自動車等の空調装置の空気吹出口に使用されるレジスタに関し、特に簡単な操作で、風向調整を行うとともに、スポット風（通風路の通風方向と平行なストレート風）とマイルド風（拡散風）を切り換えることができる空気吹出調整用のレジスタに関する。
【背景技術】
【０００２】
従来、車両室内の空気吹出調整用レジスタとして、通風路を形成するリテーナ内に、前可動ルーバと後可動ルーバを前後して且つ相互に直交方向に配設し、ベゼルに設けた空気吹出口から空気を吹き出す際、前可動ルーバの前フィン、後可動ルーバの後フィンの角度を変えて、空気の吹出し方向を上下左右に調整するクロスフィン型のレジスタが、広く使用されている。
【０００３】
この種のレジスタとして、従来、下記特許文献１により、上下左右の風向調整を行うとともに、スポット風とマイルド風を切り換えることができるレジスタが提案されている。
【先行技術文献】
【特許文献】
【０００４】
【特許文献１】ドイツ公開特許公報ＤＥ１０２０１５２１８３０９Ａ１
【発明の概要】
【発明が解決しようとする課題】
【０００５】
このレジスタは、後可動ルーバを、左フィン群と右フィン群とで２分割し、２分割された左フィン群と右フィン郡において、各々、複数の後フィンを連動して回動させる構造とし、前フィンに、２個のスライドノブを摺動可能に嵌合させ、一方のスライドノブを左フィン群に係合させ、他方のスライドノブを右フィン郡に係合させて構成される。
【０００６】
スポット風を送風する場合、２個のスライドノブを前フィンの中央に位置させ、マイルド風に変える場合、前フィン上の２個のスライドノブを、２本の指などで、両側に摺動させ、後可動ルーバの左フィン群を左側に向け、右フィン郡を右側に向けるように操作する。これにより、レジスタの空気吹出口から、左右に拡散された空気流が送風されるように動作する。
【０００７】
しかし、上記レジスタは、スポット風からマイルド風に或いはマイルド風からスポット風に切り換える場合、例えば２本の指を各々のスライドノブに当てて、それらの間を開くように、或いは閉じるように操作する必要があり、レジスタの切換操作が煩雑である、という課題があった。
【０００８】
本発明は、上記の点に鑑みてなされたもので、簡単な操作で、風向調整を行うことができ、且つスポット風とマイルド風を切り換えることができるレジスタを提供することを目的とする。
【課題を解決するための手段】
【０００９】
上記目的を達成するために、本発明のレジスタは、
内部に通風路を有したリテーナと、
該リテーナの前部に嵌着され、空気吹出口を有したベゼルと、
該空気吹出口の内側に、前フィンを回動可能に配設した前可動ルーバと、
該前可動ルーバの上流側で該前可動ルーバと直交方向に配設され、並設した複数の後フィンを回動可能に軸支した後可動ルーバと、
該前可動ルーバの該前フィン上に摺動可能に嵌合され、係合部及び被係合部からなる係合機構を介して該後可動ルーバと係合し、該前フィン上で摺動して、該後可動ルーバの該後フィンの向きを変えるスライド部材と、
該スライド部材に設けられ、回動操作して該後可動ルーバの後フィンの向きを変える操作ノブと、
を備えたレジスタであって、
該前可動ルーバは、該空気吹出口の長手方向と平行に、回動可能に軸支された前フィンを有し、該前フィンにスライド部材が、該前フィンの長手方向と平行に摺動可能に嵌合され、該操作ノブが、該スライド部材に回転可能に支持され、
該スライド部材には、第１スライドレートと第２スライドレールが該前フィンの長手方向と平行に設けられ、
前記後可動ルーバには複数の第１後フィンからなる第１後フィン群と複数の第２後フィンからなる第２後フィン群とが設けられ、
前記係合部として第１係合部と第２係合部が該スライド部材に設けられ、該第１係合部と第２係合部は、該スライド部材に対し該スライド部材の摺動方向と平行に摺動可能に設けられ、
前記被係合部として、第１被係合部が該第１後フィンに設けられ、第２被係合部が該第２後フィンに設けられ、該第１被係合部は該スライド部材の該第１係合部と係合し、該第２被係合部は該スライド部材の該第２係合部と係合し、
該操作ノブには、該後可動ルーバ側に向けて第１係合脚部と第２係合脚部が設けられ、該第１係合脚部の先端部に第１係合ピンが設けられ、該第２係合脚部の先端部に第２係合ピンが設けられ、該第１係合ピンは該第１係合部に係合し、該第２係合ピンは該第２係合部に係合し、
該操作ノブを回動操作したとき、該操作ノブの回動力が該第１係合脚部と第２係合脚部及び該第１係合ピンと第２係合ピンを介して、該第１係合部及び第２係合部に伝達され、該第１係合部と第２係合部が各々相反方向に摺動し、第１被係合部及び第２被係合部を介して、該後可動ルーバの該第１後フィン及び該第２後フィンが相反方向に回動することを特徴とする。
【００１０】
なお、この明細書において、前後は、レジスタ内の通風路の下流側（空気吹出口側）が前側、前部であり、通風路の上流側が後側、後部であり、左右はレジスタの正面を向いたときの左右である。
【００１１】
この発明のレジスタでは、前可動ルーバ及び後可動ルーバがニュートラル状態（通風路の通風方向と平行な状態）にあるとき、スポット風（通風路の通風方向と平行なストレート風）が送風される。
【００１２】
操作ノブなどを持って、スライド部材を前フィンの長手方向に摺動操作すると、第１係合部、第２係合部がスライド部材とともに同方向に摺動し、それらと係合する第１被係合部及び第２被係合部を介して、後可動ルーバの第１後フィン及び第２後フィンが回動し、送風方向が第１後フィン及び第２後フィンの方向に曲げられる。
【００１３】
一方、操作ノブを持って回動操作すると、第１係合ピンと第２係合ピンが操作ノブの軸の回りで回動し、第１係合部と第２係合部が第１係合ピンと第２係合ピンを介して、各々相反方向に摺動し、第１被係合部及び第２被係合部を介して、後可動ルーバの第１後フィンと第２後フィンが相反方向に回動する。これにより、第１後フィンと第２後フィンの向きが相反方向に変えられ、送風がスポット風（ストレート風）からマイルド風（拡散風）に変えられる。
【００１４】
このように、操作ノブを回動操作するのみの簡単な操作で、スポット風とマイルド風を変えることができる。また、スライド部材を前フィンの長手方向に摺動操作すれば、送風方向を前フィンの長手方向に調整することができ、操作ノブなどを持って、前フィンをその支軸の回りで回動操作すれば、送風方向を前フィンの短手方向に調整することができる。
【００１５】
ここで、上記第１係合部としてラックを有する第１ラック部材が設けられ、記第２係合部としてラックを有する第２ラック部材が設けられ、上記第１被係合部として該第１ラック部材と噛合する第１歯部が設けられ、上記第２被係合部として該第２ラック部材と噛合する第２歯部が設けられた構成とすることができる。
【００１６】
またここで、上記スライド部材の後部に、第１スライドレールと第２スライドレールが設けられ、上記第１ラック部材は第１スライド係合部を介して該第１スライドレールに摺動可能に係合し、上記第２ラック部材は第２スライド係合部を介して該第２スライドレールに摺動可能に係合するように構成することができる。これによれば、操作ノブの回動操作に応じて、第１ラック部材と第２ラック部材を円滑に摺動させることができる。
【００１７】
またここで、上記スライド部材内に第１係合脚部及び第２係合脚部を挿入するための脚用空間が設けられ、該脚用空間内の壁面に、クリック用凸部が設けられ、上記第１係合脚部または第２係合脚部に撓み凸部が設けられ、上記操作ノブの回動操作時、該撓み凸部がクリック用凸部を乗り越え、クリック感が生じるように構成することが好ましい。これによれば、操作ノブを回動操作してスポット風とマイルド風を切り換えるとき、良好な節度感を生じさせることができる。
【００１８】
またここで、上記スライド部材の後部に、上記脚用空間に連通する１対の扇形開口が設けられ、上記第１係合脚部及び第２係合脚部が該１対の扇形開口に挿通される構成とすることができる。これによれば、操作ノブの回動操作時、第１係合脚部及び第２係合脚部を安定して保持することができる。
【００１９】
またここで、上記第１係合脚部及び第２係合脚部の外面に、脚凸条を長手方向に設けることが好ましい。これによれば、操作ノブの回動操作時、第１係合脚部及び第２係合脚部の摺動抵抗を低減して、回動操作をスムーズに行うことができる。
【００２０】
またここで、上記第１スライドレール及び第２スライドレールの外面に、レール凸条を摺動方向に沿って設けることが好ましい。これによれば、第１係合部及び第２係合部の移動をスムーズに行うことができる。
【００２１】
またここで、上記第１係合部には、長円穴を有する第１係合アームが設けられ、第２係合部には長円穴を有する第２係合アームが設けられ、上記第１係合脚部の第１係合ピンが該第１係合アームの該長円穴に嵌合し、上記第２係合脚部の第２係合ピンが第２係合アームの該長円穴に嵌合するように構成することが好ましい。これによれば、簡単な構造により、操作ノブの回動力を第１係合部と第２係合部にスムーズに伝達することができる。
【００２２】
またここで、上記第１係合部及び第２係合部の第１、第２スライド係合部は、横断面を略コ字状に形成することが好ましい。これによれば、第１、第２スライド係合部内に第１スライドレール及び第２スライドレールを良好に保持させることができる。
【００２３】
またここで、上記第１係合脚部の先端部の上記第１係合ピンの両側に、延設部が設けられ、該延設部に小突起が上記第１係合アームに接触するように設けられ、上記第２係合脚部の先端部の上記第２係合ピンの両側に、延設部が設けられ、該延設部に小突起が上記第２係合アームに接触するように設けられた構成とすることが好ましい。これによれば、第１係合脚部と第１係合部との係合、第２係合脚部と第２係合部との係合を、ガタツキなく安定して保持することができる。
【発明の効果】
【００２４】
この発明のレジスタによれば、操作ノブの簡単な操作で、風向調整を行うことができ、且つスポット風とマイルド風を容易に切り換えることができる。
【図面の簡単な説明】
【００２５】
【図１】本発明の一実施形態を示すレジスタの正面図である。
【図２】同レジスタの左側面図である。
【図３】同レジスタの斜視図である。
【図４】同レジスタの背面図である。
【図５】図１のV-V断面図である。
【図６】図１のVI-VI断面図である。
【図７】図１のVII-VII断面図である。
【図８】（ａ）は操作ノブ、スライド部材、ラック部材を含む前可動ルーバのアッセンブリ及び後可動ルーバのアッセンブリの正面図、（ｂ）は同アッセンブリの平面図である。
【図９】同アッセンブリの斜視図である。
【図１０】同アッセンブリの背面側から見た斜視図である。
【図１１】レジスタ全体の分解斜視図である。
【図１２】操作ノブ、スライド部材、及び第１、第２ラック部材を含む前可動ルーバアッセンブリの分解斜視図である。
【図１３】後可動ルーバアッセンブリの分解斜視図である。
【図１４】（ａ）は操作ノブ、スライド部材、前フィン、及び第１、第２ラック部材のアッセンブリの正面図、（ｂ）は同平面図である。
【図１５】（ａ）は操作ノブ、スライド部材、前フィン、及び第１、第２ラック部材のアッセンブリの斜視図、（ｂ）背面側から見た同斜視図である。
【図１６】（ａ）は操作ノブ、スライド部材、及び前フィンのアッセンブリの背面側から見た斜視図、（ｂ）は操作ノブ及びスライド部材のアッセンブリの背面側から見た斜視図である。
【図１７】（ａ）はスライド本体と後スライド部の分解斜視図、（ｂ）は背面側から見た同分解斜視図である。
【図１８】（ａ）は操作ノブ、後スライド部、及び第１、第２ラック部材のアッセンブリの斜視図、（ｂ）は同アッセンブリの背面側から見た斜視図である。
【図１９】（ａ）は操作ノブの左側面図、（ｂ）はカバーを外した状態の斜視図、（ｃ）は背面側から見た斜視図、（ｄ）は操作ノブとカバーの分解斜視図である。
【図２０】（ａ）は第１ラック部材の斜視図、（ｂ）は背面側から見た第１ラック部材の斜視図、（ｃ）は第２ラック部材の斜視図、（ｄ）は背面側から見た第２ラック部材の斜視図である。
【図２１】スライド部材と前フィンの断面説明図である。
【図２２】（ａ）はスポット風時の操作ノブの断面説明図、（ｂ）はマイルド風時の操作ノブの断面説明図である。
【図２３】（ａ）はスポット風時の第２係合脚部の断面説明図、（ｂ）はその第１、第２ラック部材の断面説明図である。
【図２４】（ａ）はマイルド風時の第２係合脚部の断面説明図、（ｂ）はその第１、第２ラック部材の断面説明図である。
【図２５】前可動ルーバを下に向けたときの、図７に対応した断面図である。
【図２６】スライド部材を移動端までスライドさせて、後可動ルーバを閉鎖したときの、図５に対応した断面図である。
【図２７】操作ノブを回してマイルド風を送風するときの、図５に対応した断面図である。
【図２８】マイルド風状態からスライド部材を右にスライドさせ、マイルド風を右寄りに送風するときの、図５に対応した断面図である。
【図２９】マイルド風状態からスライド部材を左にスライドさせ、マイルド風を左寄りに送風するときの、図５に対応した断面図である。
【発明を実施するための形態】
【００２６】
以下、本発明の実施の形態を図面に基づいて説明する。このレジスタは、図１〜図７に示すように、内部に通風路６を有したリテーナ１と、リテーナ１の前部に嵌着され、空気吹出口９を有したベゼル２と、空気吹出口９の内側に、前フィン３１を回動可能に配設した前可動ルーバ３と、前可動ルーバ３の上流側で前可動ルーバ３と直交方向に配設され、並設した複数の後フィンを回動可能に軸支した後可動ルーバ４と、前可動ルーバ３の前フィン３１上に摺動可能に嵌合され、係合部及び被係合部からなる係合機構５を介して後可動ルーバ４と係合し、前フィン３１上で摺動して、後可動ルーバ４の後フィンの向きを変えるスライド部材７と、スライド部材７に設けられ、回動操作して後可動ルーバ４の後フィンの向きを変える操作ノブ８と、を備えて構成される。
【００２７】
リテーナ１は、矩形のダクト状に形成され、その前部に嵌着されるベゼル２の前面に、長方形状の空気吹出口９が形成され、空気吹出口９の直ぐ内側に前可動ルーバ３がその前フィン３１を水平横方向に向けて配設される。
【００２８】
前可動ルーバ３の上流側のリテーナ１の通風路６内に、後可動ルーバ４が前可動ルーバ３と直交方向に、つまり後可動ルーバ４がその後フィンを縦方向に向けて配設される。後可動ルーバ４は、図５〜図７などに示すように、７枚の後フィンを左右に所定の間隔をおいて縦方向に配置し、右側の４枚が第１後フィン群４１を構成し、左側の３枚が第２後フィン群４２を構成している。
【００２９】
図１３に示すように、７枚の後フィンは、その上端部と下端部に突設した支軸４７を、上部と下部に配設した軸受板３６の軸孔に嵌挿し、左右方向に回動可能に軸支される。図６〜図９などに示すように、右側の４枚の第１後フィン群４１には第１リンクバー４８が、各第１後フィン４３に設けた連結ピン４８ａに連結され、左側の３枚の第２後フィン群４２には第２リンクバー４９が、各第２後フィン４４に設けた連結ピン４９ａに連結される。
【００３０】
これにより、第１後フィン群４１の４枚の第１後フィン４３が同期して同じ向きに回動し、第２後フィン群４２の３枚の第２後フィン４４が同期して同じ向きに回動し、且つ第１後フィン群４１と第２後フィン群４２が独立して左右に回動可能となっている。
【００３１】
なお、本実施形態では、第１後フィン群４１を４枚の第１後フィン４３から構成し、第２後フィン群４２を３枚の第２後フィン４４から構成したが、第１後フィンを３枚とし、第２後フィンを４枚とするなど、第１後フィン群と第２後フィン群は任意の本数とすることができる。
【００３２】
さらに、図８、図１３などに示す如く、第１後フィン群４１の１枚の第１後フィン４３の前部に、扇形の第１歯部４５が嵌着され、第２後フィン群４２の１枚の第２後フィン４４の前部に、扇形の第２歯部４６が嵌着される。
【００３３】
第１後フィン群４１の第１歯部４５には、前可動ルーバ３側の第１ラック部材５１が噛合し、第２後フィン群４２の第２歯部４６には、第２ラック部材５２が噛合する。第１ラック部材５１と第２ラック部材５２は、スライド部材７の摺動とともに移動し、且つ操作ノブ８の回動操作に応じて、相反方向に移動可能である。
【００３４】
図１１に示すように、リテーナ１内の前部上下側に、後可動ルーバ４の上下の軸受板３６用の嵌入スペースが設けられており、後可動ルーバ４は、図１３に示す如く、上下に軸受板３６を組み付け、第１後フィン群４１に第１歯部４５を組み付け、第２後フィン群４２に第２歯部４６を組み付けた状態で、リテーナ１内の上部と下部に、軸受板３６を水平に嵌入し、取り付けられる。
【００３５】
ここで、第１ラック部材５１は請求項１の第１係合部を構成し、第２ラック部材５２は第２係合部を構成する。また、第１歯部４５は請求項１の第１被係合部を構成し、第２歯部４６は第２被係合部を構成する。
【００３６】
この実施形態では、係合機構５は、第１ラック部材５１、第２ラック部材５２、第１歯部４５、及び第２歯部４６から構成したが、第１ラック部材５１、第２ラック部材５２に代えて、二股状係合部を使用し、第１歯部４５、第２歯部４６に代えて、二股状係合部の係合可能な棒状係合部を使用することもできる。
【００３７】
前可動ルーバ３は、図１に示すように、空気吹出口９の長手方向と平行に配置され、３枚の前フィン３１が上下間隔をおいて配置され、図５に示すように、各前フィン３１の両端部に設けた支軸３２を、両側の軸受板３５の軸孔に嵌入し、回動可能に軸支している。両側の軸受板３５は、リテーナ１内の内側に嵌着される。
【００３８】
中央の前フィン３１にスライド部材７が、前フィン３１の長手方向と平行に摺動可能に外嵌される。図１１，１２に示すように、リテーナ１の内側前部に、軸受板３５用の嵌入スペースが設けられ、前可動ルーバ３は、スライド部材７及び操作ノブ８を前フィン３１に取り付け、３枚の前フィン３１を両側の軸受板３５間に組み付けた状態で、リテーナ１の内側前部に嵌入され、組み付けられる。
【００３９】
なお、本実施形態では、前可動ルーバ３を３枚の前フィン３１から構成したが、前可動ルーバの前フィンは、１枚或いは２枚とするなど、任意の本数とすることができる。
【００４０】
スライド部材７は、図５、図１２に示すように、スライド本体７１とスライド本体７１の背面側に嵌着される後スライド部７２からなり、スライド本体７１には、前フィン３１を横方向に挿入するための空間が形成され、その空間に前フィン３１を挿入し、背面から後スライド部７２がスライド本体７１の背面を覆うように、係止爪と係止部により嵌着される。このとき、スライド本体７１内に、熱可塑性エラストマーなどの軟質合成樹脂からなる荷重付与部材７９が、前フィン３１の前縁部との間に接触して挿入され、スライド操作時、適度な操作荷重を付与するようになっている。
【００４１】
また、図１７に示すように、スライド部材７のスライド本体７１の中央内部には、操作ノブ８の背面側に突設した第１係合脚部８１と第２係合脚部８２を挿入するための脚用空間７１ａが形成される。脚用空間７１ａはスライド本体７１の中央部を、前後方向に貫通し且つ上下に分離して形成され、上部の脚用空間７１ａには第１係合脚部８１が正面側から挿入され、下部の脚用空間７１ａには第２係合脚部８２が挿入可能となっている。
【００４２】
さらに、図１７に示す如く、スライド本体７１の中央部正面には、操作ノブ８のダイヤル部８８を嵌入するための円形凹部６２が形成され、この円形凹部６２内には、操作ノブ８のダイヤル部８８の中心部を嵌め込むための軸部６３が設けられ、図１２に示すように、操作ノブ８のガタツキ防止や節度感を発生させるための板ばね６１が設けられ、操作ノブ８の回動範囲を規制するストッパ６４が設けられる。
【００４３】
スライド部材７のスライド本体７１の背面側には、前フィン３１をスライド本体７１内に挿入した状態で、後スライド部７２が、スライド本体７１の後部を覆うように、両側に設けた複数対の係止爪と係止部により嵌着される。図１７に示す如く、後スライド部７２には、１対の脚用空間７１ａに対応して、扇形状の扇形開口７５と扇形開口７６が上下に分離して形成され、図１６に示すように、組み付け状態で、上の扇形開口７５からは、第１係合脚部８１の先端部が突き出し、下の扇形開口７６からは、第２係合脚部８２の先端部が突き出す。操作ノブ８の回動操作時、１対の第１係合脚部８１と第２係合脚部８２の先端部が、扇形開口７５，７６内で良好にガイドされ、第１係合脚部８１と第２係合脚部８２が所定の角度範囲で安定して回動するようになっている。
【００４４】
さらに、後スライド部７２の後部には、図１６に示すように、第１スライドレール７３と第２スライドレール７４が左右に分離して、水平方向に設けられる。第１スライドレール７３と第２スライドレール７４は、ともに断面を略Ｔ字形として形成され、図１４，１５に示すように、第１スライドレール７３には、上記請求項１の第１係合部となる第１ラック部材５１が左右方向に摺動可能に嵌合され、第２スライドレール７４には、第２係合部となる第２ラック部材５２が左右方向に摺動可能に嵌合される。
【００４５】
第１ラック部材５１と第２ラック部材５２は、歯部が上下方向に円弧状に形成され、前可動ルーバ３を上下に回動操作し、第１ラック部材５１と第２ラック部材５２が前フィン３１の支軸３２を軸に回動したとき、第１ラック部材５１と第２ラック部材５２が、後可動ルーバ４の第１歯部４５及び第２歯部４６と良好に噛合するようになっている。
【００４６】
図２０に示すように、第１ラック部材５１には第１係合アーム５３が左側に向けて突設され、第２ラック部材５２には第２係合アーム５４が右側に向けて突設され、第１係合アーム５３の先端部には長円穴５３ａが穿設され、第２係合アーム５４の先端部には長円穴５４ａが穿設される。図１５などに示す如く、この第１係合アーム５３の長円穴５３ａには、操作ノブ８の第１係合脚部８１の第１係合ピン８３が嵌合し、第２係合アーム５４の長円穴５４ａには、操作ノブ８の第２係合脚部８２の第２係合ピン８４が嵌合する。ピンの嵌合孔を、長円穴５３ａ，５４ａとすることにより、操作ノブ８の回動操作時、第１係合ピン８３と第２係合ピン８４が円弧状に移動するが、第１ラック部材５１と第２ラック部材５２が水平方向にスムーズに移動できるようになっている。
【００４７】
一方、図１６、１７に示すように、第１スライドレール７３と第２スライドレール７４の表面には、摺動方向に沿って複数の細いレール凸条７７が設けられ、第１スライドレール７３と第１ラック部材５１間の、及び第２スライドレール７４と第２ラック部材５２間の摺動摩擦抵抗を低減し、第１ラック部材５１と第２ラック部材５２がスムーズに摺動するようになっている。
【００４８】
操作ノブ８は、図１９に示すように、円柱形のダイヤル部８８の後部に、１対の第１係合脚部８１と第２係合脚部８２を突設して構成され、第１係合脚部８１と第２係合脚部８２は、スライド本体７１の脚用空間７１ａ内に挿入可能に形成される。さらに、第１係合脚部８１の先端に第１係合ピン８３が突設され、第２係合脚部８２の先端に第２係合ピン８４が突設される。
【００４９】
図１６に示すように、第１係合ピン８３は扇形開口７５から背面側に突き出し、図１８に示す如く、後スライド部７２の外側に設けた第１ラック部材５１の第１係合アーム５３の長円穴５３ａに嵌合し、第２係合ピン８４は扇形開口７６から背面側と突き出し、後スライド部７２の外側に設けた第２ラック部材５２の第２係合アーム５４の長円穴５４ａに嵌合する。
【００５０】
さらに、図１６、１９に示すように、第１係合脚部８１の先端部における第１係合ピン８３の両側に半球状の小突起８６が設けられ、第２係合脚部８２の先端部における第２係合ピン８４の両側に、半球状の小突起８６が設けられる。図１９（ｃ）に示す如く、これらの小突起８６は、第１係合脚部８１及び第２係合脚部８２の先端の延設部８１ａ、８２ａに設けられ、第１係合ピン８３が第１係合アーム５３の長円穴５３ａに嵌合したとき、第１係合アーム５３の長円穴５３ａの周囲に接触し、及び第２係合ピン８４が第２係合アーム５４の長円穴５４ａに嵌合したとき、第２係合アーム５４の長円穴５４ａの周囲に接触し、操作ノブ８の回動操作がスムーズに回動するようになっている。
【００５１】
さらに、図１８，１９に示すように、第１係合脚部８１及び第２係合脚部８２の外面には、細い脚凸条８７が長手方向に設けられ、操作ノブ８の回動操作時、スライド本体７１の脚用空間７１ａの内壁に、第１係合脚部８１及び第２係合脚部８２の外面が接触したとき、摩擦抵抗を低減し、スムーズに回動操作ができるようになっている。
【００５２】
さらに、図１８，１９に示すように、第２係合脚部８２の一部に、ばね状弾性を有した撓み凸部８５が設けられる。図２３，２４に示す如く、撓み凸部８５は、スライド本体７１の脚用空間７１ａの内壁に接触し、操作ノブ８の回動操作時、所定の角度位置で、脚用空間７１ａの内壁に設けたクリック用凸部７１ｂを乗り越え、クリック感を生じさせるようになっている。また、細い脚凸条８７が脚用空間７１ａの内壁に接触し、操作ノブ８の回動時の摩擦抵抗を低減している。
【００５３】
前可動ルーバ３の中央の前フィン３１に、スライド部材７、操作ノブ８を組み付ける場合、先ず、スライド本体７１内の定位置に荷重付与部材７９を取り付け、前フィン３１をスライド本体７１内に挿入し、スライド本体７１の背面部に後スライド部７２を嵌着させる。
【００５４】
嵌着は、図１７に示す如く、スライド本体７１の背面部に突設した４本の係止爪を後スライド部７２の係止部に係止させ、簡単に且つ確実に行うことができる。次に、後スライド部７２に設けた第１スライドレール７３に第１ラック部材５１の第１スライド係合部５５を横方向から差し込むように組み付け、同様に、第２スライドレール７４に第２ラック部材５２の第２スライド係合部５６を横方向から差し込むように組み付ける。
【００５５】
次に、スライド部材７の前側から、操作ノブ８の第１係合脚部８１と第２係合脚部８２を、スライド本体７１の脚用空間７１ａ内に差し込むように挿入する。このとき、図１６に示す如く、第１係合脚部８１と第２係合脚部８２の先端に設けた第１係合ピン８３と第２係合ピン８４は、後スライド部７２の扇形開口７５と扇形開口７６から背面側に突出し、第１係合ピン８３は第１ラック部材５１の第１係合アーム５３の長円穴５３ａに嵌入され、第２係合ピン８４は第２ラック部材５２の第２係合アーム５４の長円穴５４ａに嵌入される。
【００５６】
この状態で、操作ノブ８のダイヤル部８８の背面側は、図１２に示すように、スライド本体７１の前部に開口する円形凹部６２内に入り、円形凹部６２内の定位置に取り付けられた板ばね６１が、ダイヤル部８８の内面に接触し、ダイヤル部をガタツキなく所定の角度範囲で回動可能に保持する。また、ダイヤル部８８の中心部が、円形凹部６２の中心の軸部６３に嵌合し、円形凹部６２内に設けたストッパ６４とダイヤル部８８側の凸部の作用により、図２１に示す如く、所定の角度範囲内で回動操作可能に保持される。図１９（ｄ）に示すように、ダイヤル部８８の円形凹部６２には、カバー８９が嵌着される。
【００５７】
リテーナ１内に前可動ルーバ３と後可動ルーバ４を組み付ける場合、先ず、図１３などに示すように組み付けた後可動ルーバ４のアッセンブリを、リテーナ１内の定位置に挿入し、その上下の軸受板３６をリテーナ１内上部と下部の空間に嵌入して組み付ける。
【００５８】
次に、図１２などに示す如く組み付けた前可動ルーバ３のアッセンブリを、リテーナ１内の前部の定位置に挿入し、その左右の軸受板３５をリテーナ内の両側の空間に嵌入して組み付ける。このとき、前可動ルーバ３のアッセンブリの第１ラック部材５１が後可動ルーバ４の第１歯部４５に噛合し、第２ラック部材５２が後可動ルーバ４の第２歯部４６に噛合して組み付けられる。
【００５９】
この状態で、ニュートラル（スポット風）状態から、操作ノブ８を右に回すと、図２４に示す如く、第１ラック部材５１と第２ラック部材５２が相反方向に（左右に開く方向に）移動し、このとき、ダイヤル部８８側の凸部がストッパ６４に当たり、且つ第２係合脚部８２の撓み凸部８５がクリック用凸部７１ｂを乗り越え、クリック感を生じさせて操作ノブ８が停止する。また、マイルド風状態から、操作ノブ８を左に回すと、図２３に示す如く、第１ラック部材５１と第２ラック部材５２が相反方向に（左右に閉じる方向に）移動し、このとき、第２係合脚部８２の撓み凸部８５がクリック用凸部７１ｂを乗り越え、クリック感を生じさせて操作ノブ８が停止することとなる。
【００６０】
上記構成のレジスタは、自動車の車内のインストルメントパネルやダッシュボードの部分に、リテーナ１の末端を、図示しない通風ダクトに接続するようにして、装着される。通風ダクトから送られる空気は、リテーナ１内の通風路６から空気吹出口９を通して吹き出される。
【００６１】
図５〜図７に示すように、前可動ルーバ３及び後可動ルーバ４がニュートラル状態、つまり通風路６の通風方向と平行な状態にあるとき、スポット風が正面方向にストレートに送風される。
【００６２】
送風方向を上または下に調整する場合、操作ノブ８を把持して前可動ルーバ３の前フィン３１を上または下に回動させる。例えば、操作ノブ８を持って下に回動させると、図２５に示すように、操作ノブ８を設けたスライド部材７が装着された前フィン３１が、その両側の支軸３２を軸に下に回動し、前フィン３１が斜め下方に傾動して、送風方向が同方向に変えられる。
【００６３】
また、送風方向を左右に調整する場合、操作ノブ８またはスライド部材７を持って、右または左にスライドさせると、スライド部材７が同方向に摺動する。これにともない、後スライド部７２の第１スライドレール７３を介して取り付けられた第１ラック部材５１及び第２スライドレール７４を介して取り付けられた第２ラック部材５２が、右または左方向に移動し、第１歯部４５を介して第１後フィン群４１が同方向に回動し、第２歯部４６を介して第２後フィン群４２が同方向に回動し、送風方向が右方向または左方向に調整される。
【００６４】
さらにスライド部材７を、例えば右に移動端までスライドさせると、図２６に示すように、第１後フィン群４１及び第２後フィン群４２が同方向に最大振り角まで回動し、隣接する第１後フィン４３及び第２後フィン４４の縁部が相互に重なり合い、通風路６が後可動ルーバ４により閉鎖され、送風が遮断される。
【００６５】
一方、スポット風〈ストレート風〉からマイルド風（拡散風）に切り換える場合、操作ノブ８を例えば右に回動操作する。操作ノブ８を右に回すと、操作ノブ８の回動力が、１対の第１係合脚部８１、第２係合脚部８２、第１係合ピン８３、及び第２係合ピン８４を介して、図２４（ｂ）に示すように、第１ラック部材５１と第２ラック部材５２に伝達され、図２７に示す如く、第１ラック部材５１が右方向に移動し、第２ラック部材５２が左方向に移動する。
【００６６】
このとき、図２４（ａ）に示すように、操作ノブ８の回動操作時に、第２係合脚部８２の撓み凸部８５が内壁のクリック用凸部７１ｂを乗り越えて、クリック感が生じ、ユーザーは、マイルド風への切換を容易に認識することができる。
【００６７】
このとき、図２７に示す如く、第１ラック部材５１の右方向の移動が、第１歯部４５を介して第１後フィン群４１に伝達され、第１後フィン群４１の各第１後フィン４３が右方向を向く。同様に、第２ラック部材５２の左方向の移動が、第２歯部４６を介して第２後フィン群４２に伝達され、第２後フィン群４２の各第２後フィン４４が左方向を向く。
【００６８】
このように、第１後フィン群４１が右方向を向き、第２後フィン群４２が左方向を向くことにより、図２７に示す如く、空気流が左右の拡散方向に送風され、マイルド風（拡散風）が送風されることとなる。
【００６９】
図２７のマイルド風状態から、さらにスライド部材７を右にスライドさせると、図２８に示すように、第１ラック部材５１及び第２ラック部材５２が、スライド部材７とともに右方向に移動し、第１歯部４５を介して第１後フィン群４１が図２７の状態からさらに右方向に回動し、第２歯部４６を介して第２後フィン群４２が図２７の状態つまり左方向から右方向に変わるように回動する。これにより、図２８に示す如く、右寄りに拡散するマイルド風が送風されることとなる。
【００７０】
一方、図２７のマイルド風状態から、スライド部材７を左にスライドさせると、図２９に示すように、第１ラック部材５１及び第２ラック部材５２が、スライド部材７とともに左方向に移動し、第１歯部４５を介して第１後フィン群４１が図２７の状態つまり右方向から左方向に変わるように回動し、第２歯部４６を介して第２後フィン群４２が図２７の状態からさらに左方向に回動する。これにより、図２９に示す如く、左寄りに拡散するマイルド風が送風されることとなる。
【００７１】
一方、図２７のマイルド風の状態において、操作ノブ８を左方向に回動操作すると、第１ラック部材５１が左方向に移動し、第２ラック部材５２が右方向に移動して、第１後フィン群４１の各第１後フィン４３が通風路６の通風方向と平行になり、マイルド風からスポット風（ストレート風）に切り換えられ、図５の状態に戻ることとなる。このときも、図２３（ａ）に示すように、操作ノブ８の回動操作時に、第２係合脚部８２の撓み凸部８５が内壁のクリック用凸部７１ｂを乗り越え、ユーザーは、スポット風への切換を容易に認識することができる。
【００７２】
このように、操作ノブ８を回動操作するのみの簡単な操作で、スポット風とマイルド風を変えることができる。また、スライド部材７を前可動ルーバ３の前フィン３１上で長手方向に摺動操作すれば、送風方向を前フィン３１の長手方向（例えば左寄りにまたは右寄りに）に調整することができ、操作ノブ８やスライド部材７などを持って、前フィン３１をその支軸３２の回りで回動操作すれば、送風方向を前フィン３１の短手方向に調整することができる。
【００７３】
なお、上記実施形態では、図２７に示すように、第１後フィン群４１と第２後フィン群４２の前部を、前広がりに開くように回動させて、マイルド風を送風したが、それとは逆に、第１後フィン群４１と第２後フィン群４２の前部を、前方に閉じるように回動させて、マイルド風を送風するように構成することもできる。
【符号の説明】
【００７４】
１      リテーナ
２      ベゼル
３      前可動ルーバ
４      後可動ルーバ
５      係合機構
６      通風路
７      スライド部材
８      操作ノブ
９      空気吹出口
３１    前フィン
３２    支軸
３５    軸受板
３６    軸受板
４１    第１後フィン群
４２    第２後フィン群
４３    第１後フィン
４４    第２後フィン
４５    第１歯部（第１被係合部）
４６    第２歯部（第２被係合部）
４７    支軸
４８    第１リンクバー
４８ａ  連結ピン
４９    第２リンクバー
４９ａ  連結ピン
５１    第１ラック部材（第１係合部）
５２    第２ラック部材（第２係合部）
５３    第１係合アーム
５３ａ  長円穴
５４    第２係合アーム
５４ａ  長円穴
５５    第１スライド係合部
５６    第２スライド係合部
６２    円形凹部
６３    軸部
６４    ストッパ
７１    スライド本体
７１ａ  脚用空間
７１ｂ  クリック用凸部
７２    後スライド部
７３    第１スライドレール
７４    第２スライドレール
７５    扇形開口
７６    扇形開口
７７    レール凸条
７９    荷重付与部材
８１    第１係合脚部
８１ａ  延設部
８２    第２係合脚部
８２ａ  延設部
８３    第１係合ピン
８４    第２係合ピン
８５    撓み凸部
８６    小突起
８７    脚凸条
８８    ダイヤル部
８９    カバー
【図１】
2019182035.tif 000003
【図２】
2019182035.tif 000004
【図３】
2019182035.tif 000005
【図４】
2019182035.tif 000006
【図５】
2019182035.tif 000007
【図６】
2019182035.tif 000008
【図７】
2019182035.tif 000009
【図８】
2019182035.tif 000010
【図９】
2019182035.tif 000011
【図１０】
2019182035.tif 000012
【図１１】
2019182035.tif 000013
【図１２】
2019182035.tif 000014
【図１３】
2019182035.tif 000015
【図１４】
2019182035.tif 000016
【図１５】
2019182035.tif 000017
【図１６】
2019182035.tif 000018
【図１７】
2019182035.tif 000019
【図１８】
2019182035.tif 000020
【図１９】
2019182035.tif 000021
【図２０】
2019182035.tif 000022
【図２１】
2019182035.tif 000023
【図２２】
2019182035.tif 000024
【図２３】
2019182035.tif 000025
【図２４】
2019182035.tif 000026
【図２５】
2019182035.tif 000027
【図２６】
2019182035.tif 000028
【図２７】
2019182035.tif 000029
【図２８】
2019182035.tif 000030
【図２９】
2019182035.tif 000031